(57)【要約】【課題】少ない重要語を使用して複数の文書の内容が説明されている本文個所を容易に特定できるようにすること。【解決手段】複数の文書とその説明が書かれた本文を入力する入力手段２と、前記複数の文書において、一つの文書に現れる単語の中で他の文書に現れない単語を重要語として抽出する重要語抽出手段４と、前記複数の文書から抽出した重要語を前記本文から検索し、前記本文の重要語を前記複数の文書ごとに異なる態様で強調表示する強調表示実行手段５とを備える。【選択図】図１
2007265068.tif 000002
【特許請求の範囲】
【請求項１】
複数の文書とその説明が書かれた本文を入力する入力手段と、
前記複数の文書において、一つの文書に現れる単語の中で他の文書に現れない単語を重要語として抽出する重要語抽出手段と、
前記複数の文書から抽出した重要語を前記本文から検索し、前記本文の重要語を前記複数の文書ごとに異なる態様で強調表示する強調表示実行手段とを備えることを特徴とした文書差分検出装置。
【請求項２】
複数の文書とその説明が書かれた本文を入力する入力手段と、
前記複数の文書において、最初から順番に見て初めて現れる単語を重要語として抽出する重要語抽出手段と、
前記複数の文書から抽出した重要語を前記本文から検索し、前記本文の重要語を前記複数の文書ごとに異なる態様で強調表示する強調表示実行手段とを備えることを特徴とした文書差分検出装置。
【請求項３】
複数の文書とその説明が書かれた本文を入力する入力手段と、
前記複数の文書において、最初の文書ではその文書に現れる単語の中で他の文書に現れない単語を重要語として抽出し、その他の文書では最初から順番に見て初めて現れる単語を重要語として抽出する重要語抽出手段と、
前記複数の文書から抽出した重要語を前記本文から検索し、前記本文の重要語を前記複数の文書ごとに異なる態様で強調表示する強調表示実行手段とを備えることを特徴とした文書差分検出装置。
【請求項４】
前記強調表示実行手段で、前記本文の文字の全体を小さくして表示し、強調表示を行った場所が前記本文のどの場所かを明確にすることを特徴とした請求項１〜３のいずれかに記載の文書差分検出装置。
【請求項５】
前記強調表示実行手段で、前記重要語抽出手段が重要語を抽出した文書内の該重要語も強調表示することを特徴とする請求項１〜４のいずれかに記載の文書差分検出装置。
【請求項６】
前記強調表示実行手段で、前記複数の文書の中で指定した文書の重要語のみを強調表示することを特徴とする請求項１〜５のいずれかに記載の文書差分検出装置。
【請求項７】
前記複数の文書が特許請求の範囲の各請求項であり、前記本文が特許出願の明細書であることを特徴とした請求項１〜６のいずれかに記載の文書差分検出装置。
【請求項８】
前記強調表示実行手段で、前記本文中の重要語の前に前記複数の文書のどれに該当するかを特定する記号を付与することを特徴とした請求項１〜７のいずれかに記載の文書差分検出装置。
【請求項９】
前記強調表示実行手段で、任意の請求項番号を指定したとき、前記明細書中の規定範囲における前記指定した任意の請求項番号の重要語の数又は密度が所定の閾値を超えた場合、前記規定範囲全体を強調表示することを特徴とした請求項７又は８記載の文書差分検出装置。
【請求項１０】
複数の文書とその説明が書かれた本文を入力する入力手段と、
前記複数の文書において、一つの文書に現れる単語の中で他の文書に現れない単語を重要語として抽出する重要語抽出手段と、
任意の前記文書を指定したとき、前記指定した任意の文書中の単語を抽出し、前記本文中の規定範囲における前記抽出した単語の出現数を計算する処理手段とを備え、
前記処理手段は、前記指定した任意の文書中の単語のうち、前記重要語は重みを付けて前記出現数を計算し、該計算した出現数が多い前記規定範囲を抽出することを特徴とした文書差分検出装置。
【請求項１１】
複数の文書とその説明が書かれた本文を入力する入力手段と、
前記複数の文書において、最初から順番に見て初めて現れる単語を重要語として抽出する重要語抽出手段と、
任意の前記文書を指定したとき、前記指定した任意の文書中の単語を抽出し、前記本文中の規定範囲における前記抽出した単語の出現数を計算する処理手段とを備え、
前記処理手段は、前記指定した任意の文書中の単語のうち、前記重要語は重みを付けて前記出現数を計算し、該計算した出現数が多い前記規定範囲を抽出することを特徴とした文書差分検出装置。
【請求項１２】
複数の文書とその説明が書かれた本文を入力する入力手段と、
前記複数の文書において、最初の文書ではその文書に現れる単語の中で他の文書に現れない単語を重要語として抽出し、その他の文書では最初から順番に見て初めて現れる単語を重要語として抽出する重要語抽出手段と、
任意の前記文書を指定したとき、前記指定した任意の文書中の単語を抽出し、前記本文中の規定範囲における前記抽出した単語の出現数を計算する処理手段とを備え、
前記処理手段は、前記指定した任意の文書中の単語のうち、前記重要語は重みを付けて前記出現数を計算し、該計算した出現数が多い前記規定範囲を抽出することを特徴とした文書差分検出装置。
【請求項１３】
複数の文書とその説明が書かれた本文を入力する入力手段と、
前記複数の文書において、一つの文書に現れる単語の中で他の文書に現れない単語を重要語として抽出する重要語抽出手段と、
前記本文を規定範囲に分け、該分けた規定範囲において出現した前記重要語の数又は比率を前記文書ごとに分けて表示する強調表示実行手段とを備えることを特徴とした文書差分検出装置。
【請求項１４】
複数の文書とその説明が書かれた本文を入力する入力手段と、
前記複数の文書において、最初から順番に見て初めて現れる単語を重要語として抽出する重要語抽出手段と、
前記本文を規定範囲に分け、該分けた規定範囲において出現した前記重要語の数又は比率を前記文書ごとに分けて表示する強調表示実行手段とを備えることを特徴とした文書差分検出装置。
【請求項１５】
複数の文書とその説明が書かれた本文を入力する入力手段と、
前記複数の文書において、最初の文書ではその文書に現れる単語の中で他の文書に現れない単語を重要語として抽出し、その他の文書では最初から順番に見て初めて現れる単語を重要語として抽出する重要語抽出手段と、
前記本文を規定範囲に分け、該分けた規定範囲において出現した前記重要語の数又は比率を前記文書ごとに分けて表示する強調表示実行手段とを備えることを特徴とした文書差分検出装置。
【請求項１６】
複数の文書とその説明が書かれた本文を入力する入力手段と、
ある単語を同じ内容の単語に変換する変換手段と、
前記複数の文書から重要語を抽出する請求項１〜３のいずれかの重要語抽出手段と、
前記抽出した重要語を前記変換手段で変換し、該変換した単語を前記本文から検索し、前記本文の前記変換した単語を前記複数の文書ごとに異なる態様で強調表示する強調表示実行手段とを備えることを特徴とした文書差分検出装置。
【請求項１７】
複数の文書とその説明が書かれた本文を入力する入力手段と、
前記複数の文書において、一つの文書に現れる単語の中で他の文書に現れない単語を重要語として抽出する重要語抽出手段と、
前記複数の文書から抽出した重要語を前記本文から検索し、前記本文の重要語を前記複数の文書ごとに異なる態様で強調表示する強調表示実行手段として、
コンピュータを機能させるためのプログラム。
【請求項１８】
複数の文書とその説明が書かれた本文を入力する入力手段と、
前記複数の文書において、最初から順番に見て初めて現れる単語を重要語として抽出する重要語抽出手段と、
前記複数の文書から抽出した重要語を前記本文から検索し、前記本文の重要語を前記複数の文書ごとに異なる態様で強調表示する強調表示実行手段として、
コンピュータを機能させるためのプログラム。
【請求項１９】
複数の文書とその説明が書かれた本文を入力する入力手段と、
前記複数の文書において、最初の文書ではその文書に現れる単語の中で他の文書に現れない単語を重要語として抽出し、その他の文書では最初から順番に見て初めて現れる単語を重要語として抽出する重要語抽出手段と、
前記複数の文書から抽出した重要語を前記本文から検索し、前記本文の重要語を前記複数の文書ごとに異なる態様で強調表示する強調表示実行手段として、
コンピュータを機能させるためのプログラム。
【発明の詳細な説明】
【技術分野】
【０００１】
本発明は、箇条書き等の複数の文書で書かれた内容の本文における説明個所を容易に特定（対応付け）できる文書差分検出装置及びプログラムに関する。例えば、特許出願の特許請求の範囲の各請求項と明細書のように、複数の文書等で書かれた内容が後段の本文で説明されている場合がある。このような場合において、特許出願を読んで内容を把握するとき、各請求項に関連する明細書中の説明個所を容易に特定できるようにするものである。
【背景技術】
【０００２】
従来の特許情報のテキスト検索として、キーワード入力による検索があった。これは、検索キーワードを入力すると、該当する文字の部分が赤色で表示されるので、何かキーになりそうな単語を特許請求の範囲の各請求項から選んで検索にかければ、その単語が赤色で表示されるものであった。
【０００３】
また、従来、特許請求の範囲の各請求項の文書の差分を検出して、各請求項の文書の違いを容易に理解できるようにした文書差分検出装置があった（特許文献１参照）。
【特許文献１】特開２００４−１２６９８６号公報
【発明の開示】
【発明が解決しようとする課題】
【０００４】
上記従来のキーワード入力による検索では、ユーザがキーワードを選択する必要があり、しかも、各請求項とこれと対応する「明細書」中の説明個所を見つけるのは容易でなかった。
【０００５】
また、従来の各請求項の文書の差分を検出するものは、「明細書」中の説明個所を見つける手段としては役に立たないものであった。
【０００６】
本発明は上記問題点の解決を図り、箇条書き等の複数の文書で書かれた内容が後段の本文で説明されている場合、複数の文書の本文中における説明個所を容易に特定（対応付け）できるようにすることを目的とする。
【課題を解決するための手段】
【０００７】
図１は本発明の文書差分検出装置の説明図である。図１中、１は表示装置（表示手段）、２は入力装置（入力手段）、３は処理手段（処理装置）、４は重要語抽出部（重要語抽出手段）、５は強調表示実行部（強調表示実行手段）である。
【０００８】
本発明は、前記従来の課題を解決するため次のような手段を有する。
【０００９】
（１）：複数の文書とその説明が書かれた本文を入力する入力手段２と、前記複数の文書において、一つの文書に現れる単語の中で他の文書に現れない単語を重要語として抽出する重要語抽出手段４と、前記複数の文書から抽出した重要語を前記本文から検索し、前記本文の重要語を前記複数の文書ごとに異なる態様で強調表示する強調表示実行手段５とを備える。このため、少ない重要語を使用して複数の文書の内容が説明されている本文個所を容易に特定することができる。
【００１０】
（２）：複数の文書とその説明が書かれた本文を入力する入力手段２と、前記複数の文書において、最初から順番に見て初めて現れる単語を重要語として抽出する重要語抽出手段４と、前記複数の文書から抽出した重要語を前記本文から検索し、前記本文の重要語を前記複数の文書ごとに異なる態様で強調表示する強調表示実行手段５とを備える。このため、もれの少ない重要語を使用して複数の文書の内容が説明されている本文個所を正確に特定することができる。
【００１１】
（３）：複数の文書とその説明が書かれた本文を入力する入力手段２と、前記複数の文書において、最初の文書ではその文書に現れる単語の中で他の文書に現れない単語を重要語として抽出し、その他の文書では最初から順番に見て初めて現れる単語を重要語として抽出する重要語抽出手段４と、前記複数の文書から抽出した重要語を前記本文から検索し、前記本文の重要語を前記複数の文書ごとに異なる態様で強調表示する強調表示実行手段５とを備える。このため、数が少なく、しかももれの少ない重要語を使用して複数の文書の内容が説明されている本文個所を正確に特定することができる。
【００１２】
（４）：前記（１）〜（３）の文書差分検出装置において、前記強調表示実行手段５で、前記本文の文字の全体を小さくして表示し、強調表示を行った場所が前記本文のどの場所かを明確にする。このため、文字は点々等となって読みづらいが強調表示された重要語が本文全体のどの場所かを容易に特定することができる。
【００１３】
（５）：前記（１）〜（４）の文書差分検出装置において、前記強調表示実行手段で、前記重要語抽出手段が重要語を抽出した文書内の該重要語も強調表示する。このため、複数の文書間の違いやその文書の特徴を容易に理解することができる。
【００１４】
（６）：前記（１）〜（５）の文書差分検出装置において、前記強調表示実行手段５で、前記複数の文書の中で指定した文書の重要語のみを強調表示する。このため、本文中における指定した文書の説明個所を容易に特定することができる。
【００１５】
（７）：前記（１）〜（６）の文書差分検出装置において、前記複数の文書が特許請求の範囲の各請求項であり、前記本文が特許出願の明細書であることを特徴とする。このため、各請求項に対応する明細書中の説明個所を容易に特定することができる。
【００１６】
（８）：前記（１）〜（７）の文書差分検出装置において、前記強調表示実行手段５で、前記本文中の重要語の前に前記複数の文書のどれに該当するかを特定する記号を付与する。このため、複数の文書の数が多い場合でも各文書に対応する明細書中の説明個所を容易に特定することができる。
【００１７】
（９）：前記（７）又は（８）の文書差分検出装置において、前記強調表示実行手段５で、任意の請求項番号を指定したとき、前記明細書中の規定範囲における前記指定した任意の請求項番号の重要語の数又は密度が所定の閾値を超えた場合、前記規定範囲全体を強調表示する。このため、指定した請求項に対応する明細書中の説明個所をより的確に特定することができる。
【００１８】
（１０）：複数の文書とその説明が書かれた本文を入力する入力手段２と、前記複数の文書において、一つの文書に現れる単語の中で他の文書に現れない単語を重要語として抽出する重要語抽出手段４と、任意の前記文書を指定したとき、前記指定した任意の文書中の単語を抽出し、前記本文中の規定範囲における前記抽出した単語の出現数を計算する処理手段３とを備え、前記処理手段３は、前記指定した任意の文書中の単語のうち、前記重要語は重みを付けて前記出現数を計算し、該計算した出現数が多い前記規定範囲を抽出する。このため、少ない重要語を使用して指定した文書とよく似た本文中の規定範囲（段落等）を検索することができる。
【００１９】
（１１）：複数の文書とその説明が書かれた本文を入力する入力手段２と、前記複数の文書において、最初から順番に見て初めて現れる単語を重要語として抽出する重要語抽出手段４と、任意の前記文書を指定したとき、前記指定した任意の文書中の単語を抽出し、前記本文中の規定範囲における前記抽出した単語の出現数を計算する処理手段３とを備え、前記処理手段３は、前記指定した任意の文書中の単語のうち、前記重要語は重みを付けて前記出現数を計算し、該計算した出現数が多い前記規定範囲を抽出する。このため、もれの少ない重要語を使用して指定した文書とよく似た本文中の規定範囲（段落等）を検索することができる。
【００２０】
（１２）複数の文書とその説明が書かれた本文を入力する入力手段２と、前記複数の文書において、最初の文書ではその文書に現れる単語の中で他の文書に現れない単語を重要語として抽出し、その他の文書では最初から順番に見て初めて現れる単語を重要語として抽出する重要語抽出手段４と、任意の前記文書を指定したとき、前記指定した任意の文書中の単語を抽出し、前記本文中の規定範囲における前記抽出した単語の出現数を計算する処理手段３とを備え、前記処理手段３は、前記指定した任意の文書中の単語のうち、前記重要語は重みを付けて前記出現数を計算し、該計算した出現数が多い前記規定範囲を抽出する。このため、数が少なく、しかももれの少ない重要語を使用して指定した文書とよく似た本文中の規定範囲（段落等）を検索することができる。
【００２１】
（１３）：複数の文書とその説明が書かれた本文を入力する入力手段２と、前記複数の文書において、一つの文書に現れる単語の中で他の文書に現れない単語を重要語として抽出する重要語抽出手段４と、前記本文を規定範囲に分け、該分けた規定範囲において出現した前記重要語の数を前記文書ごとに分けて表示する強調表示実行手段５とを備える。このため、少ない重要語を使用して本文のどの規定範囲（段落、章節等）にどの文書の重要語が多いかを容易に見つけることができる。
【００２２】
（１４）：複数の文書とその説明が書かれた本文を入力する入力手段２と、前記複数の文書において、最初から順番に見て初めて現れる単語を重要語として抽出する重要語抽出手段４と、前記本文を規定範囲に分け、該分けた規定範囲において出現した前記重要語の数を前記文書ごとに分けて表示する強調表示実行手段５とを備える。このため、もれの少ない重要語を使用して本文のどの規定範囲（段落、章節等）にどの文書の重要語が多いかを容易に見つけることができる。
【００２３】
（１５）：複数の文書とその説明が書かれた本文を入力する入力手段２と、前記複数の文書において、最初の文書ではその文書に現れる単語の中で他の文書に現れない単語を重要語として抽出し、その他の文書では最初から順番に見て初めて現れる単語を重要語として抽出する重要語抽出手段４と、前記本文を規定範囲に分け、該分けた規定範囲において出現した前記重要語の数を前記文書ごとに分けて表示する強調表示実行手段５とを備える。このため、数が少なく、しかももれの少ない重要語を使用して本文のどの規定範囲（段落、章節等）にどの文書の重要語が多いかを容易に見つけることができる。
【００２４】
（１６）：複数の文書とその説明が書かれた本文を入力する入力手段２と、ある単語を同じ内容の単語に変換する変換手段と、前記複数の文書から重要語を抽出する前記（１）〜（３）のいずれかの重要語抽出手段４と、前記抽出した重要語を前記変換手段で変換し、該変換した単語を前記本文から検索し、前記本文の前記変換した単語を前記複数の文書ごとに異なる態様で強調表示する強調表示実行手段５とを備える。このため、変換手段で単語を類義語、同義語に変換すれば本文で類義語、同義語等を強調表示でき、また、変換手段で単語を翻訳することで、本文が他の言語（翻訳文）であっても複数の文書の内容が説明されている翻訳文の個所を容易に特定することができる。
【００２５】
（１７）：複数の文書とその説明が書かれた本文を入力する入力手段２と、前記複数の文書において、一つの文書に現れる単語の中で他の文書に現れない単語を重要語として抽出する重要語抽出手段４と、前記複数の文書から抽出した重要語を前記本文から検索し、前記本文の重要語を前記複数の文書ごとに異なる態様で強調表示する強調表示実行手段５として、コンピュータを機能させるためのプログラムとする。このため、このプログラムをコンピュータにインストールすることで、少ない重要語を使用して複数の文書の内容が説明されている本文個所を容易に特定することができる文書差分検出装置を容易に提供することができる。
【００２６】
（１８）：複数の文書とその説明が書かれた本文を入力する入力手段２と、前記複数の文書において、最初から順番に見て初めて現れる単語を重要語として抽出する重要語抽出手段４と、前記複数の文書から抽出した重要語を前記本文から検索し、前記本文の重要語を前記複数の文書ごとに異なる態様で強調表示する強調表示実行手段５として、コンピュータを機能させるためのプログラムとする。このため、このプログラムをコンピュータにインストールすることで、もれの少ない重要語を使用して複数の文書の内容が説明されている本文個所を容易に特定することができる文書差分検出装置を容易に提供することができる。
【００２７】
（１９）：複数の文書とその説明が書かれた本文を入力する入力手段２と、前記複数の文書において、最初の文書ではその文書に現れる単語の中で他の文書に現れない単語を重要語として抽出し、その他の文書では最初から順番に見て初めて現れる単語を重要語として抽出する重要語抽出手段４と、前記複数の文書から抽出した重要語を前記本文から検索し、前記本文の重要語を前記複数の文書ごとに異なる態様で強調表示する強調表示実行手段５として、コンピュータを機能させるためのプログラムとする。このため、このプログラムをコンピュータにインストールすることで、数が少なく、しかも、もれの少ない重要語を使用して複数の文書の内容が説明されている本文個所を容易に特定することができる文書差分検出装置を容易に提供することができる。
【発明の効果】
【００２８】
本発明によれば次のような効果がある。
【００２９】
（１）：複数の文書において、一つの文書に現れる単語の中で他の文書に現れない単語を重要語として抽出し、前記複数の文書から抽出した重要語を本文から検索し、前記本文の重要語を前記複数の文書ごとに異なる態様で強調表示するため、少ない重要語を使用して複数の文書の内容が説明されている本文個所を容易に特定することができる。
【００３０】
（２）：複数の文書において、最初から順番に見て初めて現れる単語を重要語として抽出し、前記複数の文書から抽出した重要語を前記本文から検索し、本文の重要語を前記複数の文書ごとに異なる態様で強調表示するため、もれの少ない重要語を使用して複数の文書の内容が説明されている本文個所を正確に特定することができる。
【００３１】
（３）：複数の文書において、最初の文書ではその文書に現れる単語の中で他の文書に現れない単語を重要語として抽出し、その他の文書では最初から順番に見て初めて現れる単語を重要語として抽出し、前記複数の文書から抽出した重要語を本文から検索し、前記本文の重要語を前記複数の文書ごとに異なる態様で強調表示するため、数が少なく、しかももれの少ない重要語を使用して複数の文書の内容が説明されている本文個所を正確に特定することができる。
【００３２】
（４）：強調表示実行手段で、本文の文字の全体を小さくして表示し、強調表示を行った場所が本文のどの場所かを明確にするため、文字は点々等となって読みづらいが強調表示された重要語が本文全体のどの場所かを容易に特定することができる。
【００３３】
（５）：強調表示実行手段で、重要語抽出手段が重要語を抽出した文書内の該重要語も強調表示するため、複数の文書間の違いやその文書の特徴を容易に理解することができる。
【００３４】
（６）：複数の文書の中で指定した文書の重要語のみを強調表示するため、本文中における指定した文書の説明個所を容易に特定することができる。
【００３５】
（７）：複数の文書が特許請求の範囲の各請求項であり、本文が特許出願の明細書であることを特徴とするため、各請求項に対応する明細書中の説明個所を容易に特定することができる。
【００３６】
（８）：強調表示実行手段で、本文中の重要語の前に前記複数の文書のどれに該当するかを特定する記号を付与するため、複数の文書の数が多い場合でも各文書に対応する明細書中の説明個所を容易に特定することができる。
【００３７】
（９）：任意の請求項番号を指定したとき、明細書中の規定範囲における前記任意の請求項番号の重要語の数又は密度が所定の閾値を超えた場合、前記規定範囲全体を強調表示するため、指定した請求項に対応する明細書中の説明個所をより的確に特定することができる。
【００３８】
（１０）：重要語抽出手段４で、複数の文書において、一つの文書に現れる単語の中で他の文書に現れない単語を重要語として抽出し、処理手段で、指定した任意の文書中の単語のうち、重要語は重みを付けて出現数を計算し、該計算した出現数が多い本文中の規定範囲を抽出するため、少ない重要語を使用して指定した文書とよく似た本文中の規定範囲（段落等）を検索することができる。
【００３９】
（１１）：重要語抽出手段で、複数の文書において、最初から順番に見て初めて現れる単語を重要語として抽出し、処理手段で、指定した任意の文書中の単語のうち、前記重要語は重みを付けて出現数を計算し、該計算した出現数が多い本文中の規定範囲を抽出するため、もれの少ない重要語を使用して指定した文書とよく似た本文中の規定範囲（段落等）を検索することができる。
【００４０】
（１２）重要語抽出手段で、複数の文書において、最初の文書ではその文書に現れる単語の中で他の文書に現れない単語を重要語として抽出し、その他の文書では最初から順番に見て初めて現れる単語を重要語として抽出し、処理手段で、指定した任意の文書中の単語のうち、前記重要語は重みを付けて出現数を計算し、該計算した出現数が多い本文中の規定範囲を抽出するため、数が少なく、しかももれの少ない重要語を使用して指定した文書とよく似た本文中の規定範囲（段落等）を検索することができる。
【００４１】
（１３）：重要語抽出手段で、複数の文書において、一つの文書に現れる単語の中で他の文書に現れない単語を重要語として抽出し、強調表示実行手段で、本文を規定範囲に分け、該分けた規定範囲において出現した前記重要語の数又は比率を前記文書ごとに分けて表示するため、少ない重要語を使用して本文のどの規定範囲（段落、章節等）にどの文書の重要語が多いかを容易に見つけることができる。
【００４２】
（１４）：重要語抽出手段で、複数の文書において、最初から順番に見て初めて現れる単語を重要語として抽出し、強調表示実行手段で、本文を規定範囲に分け、該分けた規定範囲において出現した前記重要語の数又は比率を前記文書ごとに分けて表示するため、もれの少ない重要語を使用して本文のどの規定範囲（段落、章節等）にどの文書の重要語が多いかを容易に見つけることができる。
【００４３】
（１５）：重要語抽出手段で、複数の文書において、最初の文書ではその文書に現れる単語の中で他の文書に現れない単語を重要語として抽出し、その他の文書では最初から順番に見て初めて現れる単語を重要語として抽出し、強調表示実行手段で、本文を規定範囲に分け、該分けた規定範囲において出現した前記重要語の数又は比率を前記文書ごとに分けて表示するため、数が少なく、しかももれの少ない重要語を使用して本文のどの規定範囲（段落、章節等）にどの文書の重要語が多いかを容易に見つけることができる。
【００４４】
（１６）：強調表示実行手段で、抽出した重要語を変換手段で変換し、該変換した単語を本文から検索し、前記本文の前記変換した単語を複数の文書ごとに異なる態様で強調表示するため、変換手段で単語を類義語、同義語に変換すれば本文で類義語、同義語等を強調表示でき、また、変換手段で単語を翻訳することで、本文が他の言語（翻訳文）であっても複数の文書の内容が説明されている翻訳文の個所を容易に特定することができる。
【発明を実施するための最良の形態】
【００４５】
（１）：文書差分検出装置の説明
図１は文書差分検出装置の説明図である。図１において、文書差分検出装置（システム）には、表示装置１、入力装置２、処理手段３が設けてある。処理装置３には、重要語抽出部４、強調表示実行部５が設けてある。
【００４６】
表示装置１は、情報を表示するＣＲＴ、液晶等の表示画面を備えた表示手段である。入力装置２は、情報を入力する入力手段である。処理手段３は、単語の抽出処理、強調表示実行処理等を行う処理装置である。重要語抽出部４は、箇条書きされた請求項等から重要語を抽出する重要語抽出手段である。強調表示実行部５は、強調表示の実行処理を行う強調表示実行手段である。
【００４７】
（２）：重要語抽出の説明
入力装置２等により、予め抽出の単位（重要語抽出のための抽出単位）、検出領域の単位（重要語抽出のための検出領域の単位）を定める。抽出単位とは、差分として出力する対象の単位である。抽出単位には、「単語」「漢字」「動詞」「名詞句」などが考えられる。検出領域の単位とは、重要語抽出のため差分を検出するために比較する領域の単位のことである。検出領域の単位には、「文」「箇条書の項目」「段落」「特許の請求項」などが考えられる。以下、検出領域の単位として、特許請求の範囲の各請求項を例に、重要語抽出部４で行う重要語抽出の説明をする。
【００４８】
（手法１）
特許明細書の請求項（検出領域）を例に抽出単位を単語とした説明をする。現在分析している請求項以外の請求項すべてからすべての単語を抽出し、現在分析している請求項において他の請求項に現れない単語を特定するものである（すなわち、他の請求項にない単語を重要語として抽出する）。
【００４９】
（手法２）
手法２は、今分析している請求項よりも上のすべての請求項からすべての単語を取り出し、今分析している請求項において今分析している請求項よりも上のすべての請求項にあらわれない単語を特定するものである（すなわち、上（最初）から順番に見てきて初めて出現した単語を重要語として抽出する）。
【００５０】
（手法３）
各請求項における重要語は、名詞や動詞などであるとする。ただし、あらかじめ指定した所定の単語は除く（例えば、「もの」「こと」などのあまり意味をなさない単語) 。名詞や動詞などを取り出すには、形態素解析システムを利用することができる。なお、重要語として名詞だけを取り出すようにすることもできる。
【００５１】
また、上記手法１又は手法２で特定した単語のうち名詞や動詞など（又は名詞だけ）を重要語とすることもできる。これで、重要語が多くなりすぎるのを防ぐことができる。
【００５２】
（３）：単語の認識（単語の切り出し品詞の特定）の説明
名詞、接尾辞、動詞の単語の抽出、認識には、形態素解析を使用して行うことができる。
【００５３】
（形態素解析システムの説明）
ここでは ChaSen について説明する。奈良先端大で開発されている形態素解析システム茶筌   http://chasen.aist-nara.ac.jp/index.html.jaで公開されている。
【００５４】
これは、日本語文を分割し、さらに、各単語の品詞も推定してくれる。
例えば、「学校へ行く」を入力すると以下の結果をえる。
学校    ガッコウ        学校    名詞−一般
へ      ヘ      へ      助詞−格助詞−一般
行く    イク    行く    動詞−自立      五段・カ行促音便        基本形
EOS
このように、各行に一個の単語が入るように分割され、各単語に読みや品詞の情報が付与される。
【００５５】
（英語の品詞のタグ付けの説明）
英語の品詞タグつけシステムとしては、次の Brillのものが有名である。
【００５６】
Eric Brill,
Transformation-Based Error-Driven Learning and 
Natural Language Processing: A Case Study in Part-of-Speech Tagging, 
Computational Linguistics, Vol. 21, No. 4, p.543-565, 1995.
これは、英語文の各単語の品詞を推定してくれるものである。
【００５７】
（４）：強調表示の説明
強調表示実行部５で行う強調表示とは、文字の色を変えて表示する、文字の背景の色を変える又は網かけを行う、文字の字体を変える（太文字、斜体文字等）、下線付けや括弧で囲む、文字の上に記号等を設ける等で行うことができる。
【００５８】
強調表示を行った文書を表示する場合、表示するフォント（文字）を小さくし（例えば、字は小さくて読みにくいが全体を表示又は文字が有ることがわかるように点々で表示）して、背景の色を変える等の強調表示を行った場所が文書のどの場所かを明確にわかるようにすることができる。
【００５９】
（５）：重要語として各請求項単独で出現する単語を取り出す場合の説明
図２は重要語として各請求項単独で出現する単語を取り出す場合のフローチャートである。以下、図２の処理Ｓ１〜Ｓ２に従って説明する。
【００６０】
Ｓ１：重要語抽出部４は、入力装置２から与えられた特許明細書の各請求項単独で出現する重要語を取り出して、処理Ｓ２に移る。なお、ここで重要語は、単語を切り出して、名詞だけとすることもできる。
【００６１】
Ｓ２：強調表示実行部５は、取り出した重要語を明細書本文で請求項ごとに色を変えて表示装置１で強調表示する。
【００６２】
この請求項ごとに色を変える強調表示は、請求項ごとに異なる様態（字体を変える等）で強調することもできる。また、指定した請求項の重要語のみを強調表示することもできる。重要語抽出部４で行う重要語の抽出は、請求項と限らず、指定した段落等とすることもでき、この場合の本文における重要語の強調表示は、重要語の出現した段落ごとに色を変えて強調表示することができる。
【００６３】
（６）：重要語として各請求項で初めて出現する単語を取り出す場合の説明
図３は重要語として各請求項で初めて出現する単語を取り出す場合のフローチャートである。以下、図３の処理Ｓ１１〜Ｓ１２に従って説明する。
【００６４】
Ｓ１１：重要語抽出部４は、入力装置２から与えられた特許明細書の各請求項で初めて出現する重要語を取り出して、処理Ｓ１２に移る。なお、ここで重要語は、名詞だけとすることもできる。
【００６５】
Ｓ１２：強調表示実行部５は、取り出した重要語を明細書本文で請求項ごとに色を変えて表示装置１で強調表示する。
【００６６】
（７）：重要語として、各請求項で、テキストで初めて出現する単語を取り出す場合の説明
図４は重要語として、各請求項で、テキストで初めて出現する単語を取り出す場合のフローチャートである。以下、図４の処理Ｓ２１〜Ｓ２２に従って説明する。
【００６７】
Ｓ２１：重要語抽出部４は、入力装置２から与えられた特許明細書の各請求項でテキストで初めて出現する重要語を取り出して、処理Ｓ２２に移る。なお、ここで重要語は、名詞だけとすることもできる。
【００６８】
Ｓ２２：強調表示実行部５は、取り出した重要語を明細書本文で請求項ごとに色を変えて表示装置１で強調表示する。
【００６９】
前記Ｓ１１〜Ｓ１２の処理では同じ請求項に複数出てきたものが、両方、強調表示されるが、このＳ２１〜Ｓ２２の処理では最初のものだけが強調表示される違いが出てくる。
【００７０】
（８）：最初の文書（請求項１）で他の文書（請求項２以降）にない単語を取り出す場合の説明
最初の請求項（請求項１）については、他の請求項にない単語を取り出すようにする。その他の請求項については、今のよりも前の請求項にない単語を取り出すようにする。すなわち、前記（５）（６）の新規単語の取り出し方法二つを融合したような方法である。
【００７１】
今のよりも前の請求項にない単語を取り出す方法だと、最初の請求項（請求項１）はすべての単語を新規単語として取り出す問題がある。他の請求項にない単語を取り出す方法だと、似た請求項があるときに新規単語として取り出せない問題がある。したがって、上記のように二つの方法を組み合わせる方法では、最初の請求項に、他の請求項にない単語を取り出す方法を利用することで、最初の請求項ですべての単語を新規単語として取り出すという問題を解決できる。
【００７２】
また、その他の請求項については、今のよりも前の請求項にない単語を取り出す方法を利用することで、それらの請求項において、似た請求項があるときに新規単語として取り出せないという問題を解決できる。
【００７３】
（９）：他の構成及び作用の説明
ａ）各請求項に出現する文字列（重要語）が明細書本文に出現したとき、その文字列の前部（後部でもよい）に請求項の番号を付与する。これにより、請求項の数が多くなっても、どの請求項であるか容易に認識することができる。
【００７４】
ｂ）請求項番号に対応させて（請求項の重要語も色付けする）、明細書本文に出現した重要語にそれぞれ異なる色付けを行う。これにより、色でどの請求項に対応するか容易に判別できる。
【００７５】
ｃ）明細書本文に出現した重要語が、複数の請求項に重複して出現する場合、該重要語の前部（後部でもよい）に請求項の番号を重複して付与する。これにより、複数の請求項で出現したことを容易に認識することができる。
【００７６】
ｄ）前記ａ）の重要語の前部に請求項の番号を付与する表示と、前記ｂ）の重要語にそれぞれ異なる色付けを行う表示は、両方の表示、又は、どちらか一方の表示、又は、これらの強調表示は行わない等の選択が、入力装置２等により自由に行えるようにできる。
【００７７】
ｅ）入力装置２で、任意の請求項番号を指定すると、その請求項番号に該当する明細書本文に出現した重要語のみが色付け表示される。この場合、複数の請求項の番号を指定することも可能である。
【００７８】
ｆ）入力装置２で、任意の請求項番号を指定すると、その請求項番号に該当する明細書本文に出現した重要語のみが強調文字表示（色付け表示以外）される。この場合、強調文字表示はそのままで複数の請求項の番号を指定することも可能である。
【００７９】
ｇ）入力装置２で、任意の請求項番号の指定を行う場合、順次ローテーションさせるようにできる（例えば、スペースキー操作で次々と請求項番号が移って（更新）行く）。
【００８０】
ｈ）入力装置２で、任意の請求項番号を指定したとき、段落番号で区切られた範囲内において、請求番号を付与（又は色付けした）重要語の範囲がある（所定）閾値を超えた場合、その段落内を全て色付け表示することができる。この閾値は、ＯＦＦも含めて設定変更が可能である。
【００８１】
なお、この閾値としては、出現した重要語の数、割合、密度（ある段落の重要語の数／ある段落の全単語の数）等とすることができる。また、段落番号で区切られた範囲内（段落単位）でなく、行単位、頁単位、一定の文字数単位等の規定範囲とすることもできる。そして、この密度が高いところを、自動で画面表示（スクロール）することもできる。
【００８２】
ｉ）各請求項に該当する重要語の強調表示は、明細書本文のすみ付き括弧の「発明を実施するための最良の形態」又は「実施例」等の説明文中とすることができる。
【００８３】
j ）重要語抽出部４での重要語の抽出（取り出し）で、意味のない単語を排除し、よりよい単語のみを抽出できるように次のようにすることもできる。
【００８４】
(1) 重要語として、名詞のみを取り出すようにする。(2) 重要語として、ひらがなを取り出さないようにする。(3) 重要語として、ひらがな何文字以下の単語は取り出さないようにする。(4) 重要語として、何文字以下の単語は取り出さないようにする。
【００８５】
このように上記(1) 〜(4) （(1) 〜(4) は単独でなく組み合わせることもできる）で取り出した、よりよい単語のみを使って強調表示を行うこともできる。
【００８６】
なお、上記ａ）〜j ）では、特許の請求項と明細書の例について説明したが、複数の文書とその本文のように、特許以外の文書にも適用することができる。
【００８７】
（１０）：具体例による説明
以下の具体例による説明では、「＜」、「＞」で強調表示、「［」、「］」で請求項番号表示を行っている。
【００８８】
ａ）各請求項だけで出現した重要語のみを強調表示する場合の例
（特許請求の範囲）
〔請求項１〕
球根を＜収納＞した振動型ホッパー（２）を畝に＜沿っ＞て＜送行＞する間に、＜上記＞ホッパー（２）＜から＞放出した球根を複数条の各送りガイド（８）に＜沿っ＞て縦列＜状＞に誘導し、縦列＜状＞に＜送られる＞球根を送りガイド（８）の送り先＜き＞端＜から＞シュート（２４）に＜沿っ＞て落下すると＜同時に＞、該シュート（２４）＜が＞前記ホッパー（２）と＜連動＞して＜走行＞する間に、シュート（２４）＜によって＞畝の土を鋤き起こして球根の＜大きさ＞に＜適し＞た植込み溝（２５）を＜成形＞し、該植込み溝（２５）内に前記落下する球根を植付け、＜植付け＞た＜後＞に、前記ホッパー（２）と＜連動＞し＜ながら＞回転する羽根車（２７）＜によって植付け＞た球根に覆土することを特徴とする球根の植付け＜方法＞。
〔請求項２〕
＜牽引車＞に＜上下＞自在に＜取り付けられるフレーム＞（＜１＞）に振動型ホッパー（２）を設け、該ホッパー（２）の＜開放口＞（＜４＞）に＜連続＞して放出した球根を縦列に移送する複数条の送りガイド（８）を設け、該送りガイド（８）の送り先の端に球根を落下誘導するシュート（２４）を＜垂設＞する＜と共に＞、各シュート（２４）の＜下端部＞に畝の土を鋤き起こして植込み溝（２５）を形成する＜鋤部＞（＜２６＞）を＜備え＞、前記各シュート（２４）間に前記植込み溝（２５）内に＜植えられ＞た球根に覆土する羽根車（２７）を回転＜可能＞に設けていることを特徴とする球根の植付け装置。
〔請求項３〕
前記送りガイド（８）は、コンベア（９）＜上＞に＜左右一対＞の＜規制板＞（＜１０＞）をその間隔を＜拡大縮小＞自在に設けた誘導溝（＜１１＞）＜で＞形成していることを特徴とする請求項２に記載の球根の植付け装置。
〔請求項４〕
前記送りガイド（８）のコンベア（９）に、その移送＜速度＞を＜調整＞して球根の植込み間隔を＜調節＞する＜変速機＞（＜２１＞）を設けていることを特徴とする請求項２＜また＞は＜３＞に記載の球根の植付け装置。
【００８９】
（明細書の本文）
〔０００９〕
本発明の実施形態は、トラクターなどを＜[2] 牽引車＞とし、該＜[2] 牽引車＞に＜[2] 上下＞に＜[4] 調整＞できるように＜[2] 取り付け＞た＜[2] フレーム＞に、球根を＜[1] 収納＞する振動型ホッパーと、該ホッパーから放出される球根を移送する複数条の送りガイドと、各送りガイドの送り先の＜[2] 端＞に＜[2] 連続＞して下方へ＜[2] 垂設＞するシュートと、シュートの＜[2] 下端部＞に設けられ畝に植込み溝を＜[1] 成形＞する＜[2] 鋤部＞と、各シュート間に回転＜[2] 可能＞に設けられ畝の土を＜[1] 植付け＞た球根に覆土する羽根車とを設けたものである。
〔００１０〕
従って、＜[2] 牽引車＞に＜[2] 取り付け＞てシュートの＜[2] 下端部＞が畝内に所定の深さで突き刺した状態に設定してから、＜[2] 牽引車＞を＜[1] 走行＞することにより、球根はホッパーから放出して各送りガイドに＜[1] 沿っ＞て縦列に移送され、送りガイドの末端に至った球根は順次シュート内に挿入されて落下し、その際＜[2] 牽引車＞の＜[1] 走行＞に伴ってシュートの＜[2] 鋤部＞で既に＜[1] 植付け＞溝が＜[1] 成形＞されているから、球根は＜[1] 植付け＞溝内に落下し、更に羽根車が回転しているから、球根が＜[1] 植付け＞られた溝に畝の土が被せられるものである。
〔００１１〕
〔実施例〕
本発明を実施例によって説明すると、図＜[2] １＞と図＜[2] ２＞に示しているように、＜[2] 牽引車＞（図示省略）の後方＜[2] 部＞に＜[2] 上下＞に＜[4] 調節＞＜[2] 可能＞に＜[2] 取り付け＞られる＜[2] フレーム１＞＜[3] 上＞に振動型ホッパー＜[2] ２＞を設け、該ホッパー＜[2] ２＞の＜[2] 牽引車＞の前進する側とは反対側面の下部にシャッター＜[4] ３＞で開閉される＜[2] 開放口４＞を備えるもので、ホッパー＜[2] ２＞に与える振動は、従来知られている機械的機構によれば良く、図示してないが、例えばホッパー＜[2] ２＞の底＜[3] 板＞にクランク機構によって＜[2] 牽引車＞の前進後退する両方向への振動を与えるものである。尚、＜[2] 牽引車＞の前進側に対して後退する側の方向を、後方として説明する。
〔００１２〕
前記ホッパー＜[2] ２＞の＜[2] 開放口４＞に＜[2] 連続＞して後方に向かって、＜[2] 開放口４＞の全幅に亘るエプロン＜[2] 部＞５が突＜[2] 設＞してあり、該エプロン＜[2] 部＞５の上面に、図＜[4] ３＞の平面図に示しているように、三角形をなしその底辺側が高くなる形態の仕切りガイド６を、エプロン＜[2] 部＞５の両端＜[2] 部＞から等間隔おきに列＜[2] 設＞したもので、図面では両端のものを含めて６個配＜[2] 設＞している。従って、エプロン＜[2] 部＞５＜[3] 上＞に放出された多数の球根は、各仕切りガイド６間の順次狭められた通路７へ誘導されるようになっている。尚、通路７は図面では５条設けているが、この条数は＜[2] 牽引車＞で＜[1] 成形＞される畝幅によって異なる。
〔００１３〕
上記エプロン＜[2] 部＞５の各通路７に対応して送りガイド８を後方に向かって列＜[2] 設＞したもので、この送りガイド８は、エプロン＜[2] 部＞５のほぼ全幅に亘る広さを持つコンベア９を後方に向かって回動するように設け、該コンベア９＜[3] 上＞に前記仕切りガイド６と対応して＜[3] 規制板１０＞を設け、各＜[3] 規制板１０＞間に誘導溝＜[3] １１＞を形成しているものである。尚、図＜[2] １＞に示すエプロン＜[2] 部＞５の傾斜が緩くなっているが、この傾斜を強くしてエプロン＜[2] 部＞５の先端＜[2] 部＞をコンベア９＜[3] 上＞に最も近づける方が好ましく、傾斜を強くすることにより、球根の流れがよりスムーズになるものである。
〔００１４〕
しかも前記誘導溝＜[3] １１＞の幅を球根の＜[1] 大き＞さに応じて拡縮できるように、＜[3] 規制板１０＞を図５に示しているように、コンベア９のベルトに接触することなく僅かに空かして架設した平行する＜[3] 左右一対＞の底＜[3] 板＞１２と、両底＜[3] 板＞１２＜[3] 上＞に亘って被せた円弧＜[1] 状＞に彎曲する被覆＜[3] 板＞１３とで形成し、更に両底＜[3] 板＞１２を平行運動機構１４によって両底＜[3] 板＞１２間の間隔が拡縮できるようなっている。尚、平行運動機構１４は図６に示しているように、中間片１５と＜[3] 左右＞の底＜[3] 板＞１２を平行リンク１６で連結したもので、その中間片１５は操作軸１７にその回転運動を直線往復運動に変える機構（図示省略）を介して連結している。
〔００１５〕
更に、前述のように球根はコンベア９で＜[1] 送ら＞れるものであるから、その回転＜[4] 速度＞を遅速＜[4] 調整＞することにより、球根の＜[1] 植＞付ける間隔を自由に＜[4] 調節＞することができるものである。その駆動系は図＜[2] ４＞に示しているように、＜[2] フレーム１＞の前部に＜[2] 牽引車＞からの出力軸１８に横方向に架設する主軸１９を設け、該主軸１９に中間軸２０を介して駆動する無段の＜[4] 変速機２１＞を設け、該＜[4] 変速機２１＞の出力側にコンベア９の駆動するローラー軸２２を連結したもので、従って＜[4] 変速機２１＞を操作することにより、コンベア９の回転＜[4] 速度＞を変調することができるものである。尚、図＜[4] ３＞において中間軸２０より更に後方＜[2] 部＞に設けている軸は、後記するが羽根車２７の駆動軸２３である。
〔００１６〕
上記送りガイド８の後端に次いでシュート２４を起立した状態に設けている。シュート２４は図＜[2] ２＞に示しているように角筒よりなり、送りガイド８で移送された球根を受け込んで下方へ誘導するものであり、また同時に＜[2] 下端部＞で畝に植込み溝２５を＜[1] 成形＞するもので、＜[2] 牽引車＞の前進に伴って土を横へ押し退けるように、シュート２４に＜[2] 鋤部２６＞が設けてある。尚、＜[1] 植付け＞溝２５の深さは、球根の＜[1] 大き＞さによって定まるが、＜[2] 牽引車＞に＜[2] 取り付け＞ている＜[2] フレーム１＞の＜[2] 上下＞＜[4] 調節＞により設定されるものである。
〔００１７〕
更に、上記各シュート２４間に図６に示しているように、畝の土を掻き上げて＜[1] 植付け＞溝２５を塞ぐ、即ち＜[1] 植付け＞られた球根に覆土する羽根車２７を配＜[2] 設＞している。羽根車２７は前記駆動軸２３に設けられるもので、円盤に複数の羽根＜[3] 板＞を放射状に突＜[2] 設＞し、各羽根＜[3] 板＞の先端＜[2] 部＞を交互に反対方向に屈折したもので、例えば右側に屈折する部分で右側の＜[1] 植付け＞溝に向かって、左へ屈折する部分で左側の＜[1] 植付け＞溝に向かって土を被せるもので、一つの溝に双方から土を被せるようになっている。
〔００１８〕
尚、本発明の装置に付属部材として、畝の＜[3] 左右＞の立ち上がる傾斜面に当接する当て＜[3] 板＞２８を、前記各羽根車２７のうちの＜[3] 左右＞＜[2] 端＞の羽根車２７と対向する位置に設け、畝の崩れを防止すると共に、羽根車２７で跳ね上げた土が畝外に跳ね出すのを防止するものである。
〔００１９〕
以上の強調表示を見ると、請求項１の重要語は段落番号００１０、００１７に、請求項２の重要語は段落番号０００９、００１１、００１２、００１３、００１６に、請求項３の重要語は段落番号００１４に、請求項４の重要語は段落番号００１５に多いことがわかる。
【００９０】
ｂ）各請求項で初めて出現した重要語を強調表示する場合の例
（特許請求の範囲）
〔請求項１〕
＜球根を収納した振動型ホッパー（２）を畝に沿って送行する間に、上記ホッパー（２）から放出した球根を複数条の各送りガイド（８）に沿って縦列状に誘導し、縦列状に送られる球根を送りガイド（８）の送り先き端からシュート（２４）に沿って落下すると同時に、該シュート（２４）が前記ホッパー（２）と連動して走行する間に、シュート（２４）によって畝の土を鋤き起こして球根の大きさに適した植込み溝（２５）を成形し、該植込み溝（２５）内に前記落下する球根を植付け、植付けた後に、前記ホッパー（２）と連動しながら回転する羽根車（２７）によって植付けた球根に覆土することを特徴とする球根の植付け方法。＞
〔請求項２〕
＜牽引車＞に＜上下自在＞に＜取り付けられるフレーム＞（＜１＞）に振動型ホッパー（２）を＜設け＞、該ホッパー（２）の＜開放口＞（＜４＞）に＜連続＞して放出した球根を縦列に＜移送＞する複数条の送りガイド（８）を＜設け＞、該送りガイド（８）の送り先の端に球根を落下誘導するシュート（２４）を＜垂設＞する＜と共に＞、各シュート（２４）の＜下端部＞に畝の土を鋤き起こして植込み溝（２５）を＜形成＞する＜鋤部＞（＜２６＞）を＜備え＞、前記各シュート（２４）間に前記植込み溝（２５）内に＜植えられ＞た球根に覆土する羽根車（２７）を回転＜可能＞に＜設け＞て＜いる＞ことを特徴とする球根の植付け＜装置＞。
〔請求項３〕
前記送りガイド（８）＜は＞、＜コンベア＞（＜９＞）＜上＞に＜左右一対＞の＜規制板＞（＜１０＞）を＜その間隔＞を＜拡大縮小＞自在に設けた誘導溝（＜１１＞）＜で＞形成していることを特徴とする＜請求項＞２に＜記載＞の球根の植付け装置。
〔請求項４〕
前記送りガイド（８）のコンベア（９）に、その移送＜速度＞を＜調整＞して球根の植込み間隔を＜調節＞する＜変速機＞（＜２１＞）を設けていることを特徴とする請求項２＜また＞は＜３＞に記載の球根の植付け装置。
【００９１】
（明細書の本文）
〔０００９〕
本発明の実施形態は＜[1] 、＞トラクターなどを＜[2] 牽引車＞とし＜[1] 、該＞＜[2] 牽引車＞に＜[2] 上下＞に＜[4] 調整＞できるように＜[2] 取り付け＞た＜[2] フレーム＞に＜[1] 、球根＞を＜[1] 収納＞する＜[1] 振動型＞ホッ＜[1] パー＞と＜[1] 、該＞ホッ＜[1] パー＞から＜[1] 放出＞される＜[1] 球根＞を＜[2] 移送＞する＜[1] 複数条＞の＜[1] 送りガイド＞と＜[1] 、＞各＜[1] 送りガイド＞の＜[1] 送り先＞の＜[2] 端＞に＜[2] 連続＞して下方へ＜[2] 垂設＞する＜[1] シュート＞と＜[1] 、シュート＞の＜[2] 下端部＞に＜[2] 設け＞られ＜[1] 畝＞に＜[1] 植込み溝＞を＜[1] 成形＞する＜[2] 鋤部＞と＜[1] 、＞各＜[1] シュート間＞に＜[1] 回転＞＜[2] 可能＞に＜[2] 設け＞られ＜[1] 畝＞の＜[1] 土＞を＜[1] 植付け＞た＜[1] 球根＞に＜[1] 覆土＞する＜[1] 羽根車＞とを＜[2] 設け＞たものである＜[1] 。＞
〔００１０〕
従って＜[1] 、＞＜[2] 牽引車＞に＜[2] 取り付け＞て＜[1] シュート＞の＜[2] 下端部＞が＜[1] 畝内＞に所定の深さで突き刺した状態に設定してから＜[1] 、＞＜[2] 牽引車＞を＜[1] 走行＞することにより＜[1] 、球根＞はホッ＜[1] パー＞から＜[1] 放出＞して各＜[1] 送りガイド＞に＜[1] 沿っ＞て＜[1] 縦列＞に＜[2] 移送＞され＜[1] 、送りガイド＞の末端に至った＜[1] 球根＞は順次＜[1] シュート内＞に挿入されて＜[1] 落下＞し＜[1] 、＞その際＜[2] 牽引車＞の＜[1] 走行＞に伴って＜[1] シュート＞の＜[2] 鋤部＞で既に＜[1] 植付け溝＞が＜[1] 成形＞されているから＜[1] 、球根＞は＜[1] 植付け溝内＞に＜[1] 落下＞し＜[1] 、＞更に＜[1] 羽根車＞が＜[1] 回転＞しているから＜[1] 、球根＞が＜[1] 植付け＞られた＜[1] 溝＞に＜[1] 畝＞の＜[1] 土＞が被せられるものである＜[1] 。＞
〔００１１〕
〔実施例〕
本発明を実施例によって説明すると＜[1] 、＞図＜[2] １＞と図＜[2] ２＞に示しているように＜[1] 、＞＜[2] 牽引車＞＜[1] （＞図示省略＜[1] ）＞の後方＜[2] 部＞に＜[2] 上下＞に＜[4] 調節＞＜[2] 可能＞に＜[2] 取り付け＞られる＜[2] フレーム１＞＜[3] 上＞に＜[1] 振動型＞ホッ＜[1] パー＞＜[2] ２＞を＜[2] 設け＞＜[1] 、該＞ホッ＜[1] パー＞＜[2] ２＞の＜[2] 牽引車＞の前進する側とは反対側面の下部にシャッター＜[4] ３＞で開閉される＜[2] 開放口４＞を備えるもので＜[1] 、＞ホッ＜[1] パー＞＜[2] ２＞に与える＜[1] 振動＞は＜[1] 、＞従来知られている機械的機構によれば良く＜[1] 、＞図示してないが＜[1] 、＞例えばホッ＜[1] パー＞＜[2] ２＞の底＜[3] 板＞にクランク機構によって＜[2] 牽引車＞の前進後退する両方向への＜[1] 振動＞を与えるものである＜[1] 。＞尚＜[1] 、＞＜[2] 牽引車＞の前進側に対して後退する側の方向を＜[1] 、＞後方として説明する＜[1] 。＞
〔００１２〕
前記ホッ＜[1] パー＞＜[2] ２＞の＜[2] 開放口４＞に＜[2] 連続＞して後方に向かって＜[1] 、＞＜[2] 開放口４＞の全幅に亘るエプロン＜[2] 部＞５が突＜[2] 設＞してあり＜[1] 、該＞エプロン＜[2] 部＞５の上面に＜[1] 、＞図＜[4] ３＞の平面図に示しているように＜[1] 、＞三角形をなしその底辺側が高くなる形態の仕切り＜[1] ガイド＞６を＜[1] 、＞エプロン＜[2] 部＞５の両端＜[2] 部＞から等間隔おきに列＜[2] 設＞したもので＜[1] 、＞図面では両端のものを含めて６個配＜[2] 設＞している＜[1] 。＞従って＜[1] 、＞エプロン＜[2] 部＞５＜[3] 上＞に＜[1] 放出＞された多数の＜[1] 球根＞は＜[1] 、＞各仕切り＜[1] ガイド＞６＜[1] 間＞の順次狭められた通路７へ＜[1] 誘導＞されるようになっている＜[1] 。＞尚＜[1] 、＞通路７は図面では５＜[1] 条＞＜[2] 設け＞ているが＜[1] 、＞この＜[1] 条＞数は＜[2] 牽引車＞で＜[1] 成形＞される＜[1] 畝＞幅によって異なる＜[1] 。＞
〔００１３〕
上記エプロン＜[2] 部＞５の各通路７に対応して＜[1] 送りガイド８＞を後方に向かって列＜[2] 設＞したもので＜[1] 、＞この＜[1] 送りガイド８＞は＜[1] 、＞エプロン＜[2] 部＞５のほぼ全幅に亘る広さを持つ＜[3] コンベア９＞を後方に向かって回動するように＜[2] 設け＞＜[1] 、該＞＜[3] コンベア９上＞に前記仕切り＜[1] ガイド＞６と対応して＜[3] 規制板１０＞を＜[2] 設け＞＜[1] 、＞各＜[3] 規制板１０＞＜[1] 間＞に＜[1] 誘導溝＞＜[3] １１＞を＜[2] 形成＞しているものである＜[1] 。＞尚＜[1] 、＞図＜[2] １＞に示すエプロン＜[2] 部＞５の傾斜が緩くなっているが＜[1] 、＞この傾斜を強くしてエプロン＜[2] 部＞５の先端＜[2] 部＞を＜[3] コンベア９上＞に最も近づける方が好ましく＜[1] 、＞傾斜を強くすることにより＜[1] 、球根＞の流れがよりスムーズになるものである＜[1] 。＞
〔００１４〕
しかも前記＜[1] 誘導溝＞＜[3] １１＞の幅を＜[1] 球根＞の＜[1] 大き＞さに応じて拡縮できるように＜[1] 、＞＜[3] 規制板１０＞を図５に示しているように＜[1] 、＞＜[3] コンベア９＞のベルトに接触することなく僅かに空かして架設した平行する＜[3] 左右一対＞の底＜[3] 板＞１２と＜[1] 、＞両底＜[3] 板＞１２＜[3] 上＞に亘って被せた円弧＜[1] 状＞に彎曲する被覆＜[3] 板＞１３とで＜[2] 形成＞し＜[1] 、＞更に両底＜[3] 板＞１２を平行運動機構１４によって両底＜[3] 板＞１２＜[1] 間＞の＜[3] 間隔＞が拡縮できるようなっている＜[1] 。＞尚＜[1] 、＞平行運動機構１４は図６に示しているように＜[1] 、＞中間片１５と＜[3] 左右＞の底＜[3] 板＞１２を平行リンク１６で連結したもので＜[1] 、＞その中間片１５は操作軸１７にその＜[1] 回転＞運動を直線往復運動に変える機構＜[1] （＞図示省略＜[1] ）＞を介して連結している＜[1] 。＞
〔００１５〕
更に＜[1] 、＞前述のように＜[1] 球根＞は＜[3] コンベア９＞で＜[1] 送ら＞れるものであるから＜[1] 、＞その＜[1] 回転＞＜[4] 速度＞を遅速＜[4] 調整＞することにより＜[1] 、球根＞の＜[1] 植＞付ける＜[3] 間隔＞を自由に＜[4] 調節＞することができるものである＜[1] 。＞その駆動系は図＜[2] ４＞に示しているように＜[1] 、＞＜[2] フレーム１＞の前部に＜[2] 牽引車＞からの出力軸１８に横方向に架設する主軸１９を＜[2] 設け＞＜[1] 、該＞主軸１９に中間軸２０を介して駆動する無段の＜[4] 変速機２１＞を＜[2] 設け＞＜[1] 、該＞＜[4] 変速機２１＞の出力側に＜[3] コンベア９＞の駆動するローラー軸２２を連結したもので＜[1] 、＞従って＜[4] 変速機２１＞を操作することにより＜[1] 、＞＜[3] コンベア９＞の＜[1] 回転＞＜[4] 速度＞を変調することができるものである＜[1] 。＞尚＜[1] 、＞図＜[4] ３＞において中間軸２０より更に後方＜[2] 部＞に＜[2] 設けている軸は＜[1] 、＞後記するが＜[1] 羽根車２７＞の駆動軸２３である＜[1] 。＞
〔００１６〕
上記＜[1] 送りガイド８＞の後端に次いで＜[1] シュート２４＞を起立した状態に＜[2] 設け＞ている＜[1] 。シュート２４＞は図＜[2] ２＞に示しているように角筒よりなり＜[1] 、送りガイド８＞で＜[2] 移送＞された＜[1] 球根＞を受け込んで下方へ＜[1] 誘導＞するものであり＜[1] 、＞また同時に＜[2] 下端部＞で＜[1] 畝＞に＜[1] 植込み溝２５＞を＜[1] 成形＞するもので＜[1] 、＞＜[2] 牽引車＞の前進に伴って＜[1] 土＞を横へ押し退けるように＜[1] 、シュート２４＞に＜[2] 鋤部２６＞が＜[2] 設け＞てある＜[1] 。＞尚＜[1] 、植付け溝２５＞の深さは＜[1] 、球根＞の＜[1] 大き＞さによって定まるが＜[1] 、＞＜[2] 牽引車＞に＜[2] 取り付け＞ている＜[2] フレーム１＞の＜[2] 上下＞＜[4] 調節＞により設定されるものである＜[1] 。＞
〔００１７〕
更に＜[1] 、＞上記各＜[1] シュート２４間＞に図６に示しているように＜[1] 、畝＞の＜[1] 土＞を掻き上げて＜[1] 植付け溝２５＞を塞ぐ＜[1] 、＞即ち＜[1] 植付け＞られた＜[1] 球根＞に＜[1] 覆土＞する＜[1] 羽根車２７＞を配＜[2] 設＞している＜[1] 。羽根車２７＞は前記駆動軸２３に＜[2] 設け＞られるもので＜[1] 、＞円盤に＜[1] 複数＞の羽根＜[3] 板＞を放射状に突＜[2] 設＞し＜[1] 、＞各羽根＜[3] 板＞の先端＜[2] 部＞を交互に反対方向に屈折したもので＜[1] 、＞例えば右側に屈折する部分で右側の＜[1] 植付け溝＞に向かって＜[1] 、＞左へ屈折する部分で左側の＜[1] 植付け溝＞に向かって＜[1] 土＞を被せるもので＜[1] 、＞一つの＜[1] 溝＞に双方から＜[1] 土＞を被せるようになっている＜[1] 。＞
〔００１８〕
尚＜[1] 、＞本発明の＜[2] 装置＞に付属部材として＜[1] 、畝＞の＜[3] 左右＞の立ち上がる傾斜面に当接する当て＜[3] 板＞２８を＜[1] 、＞前記各＜[1] 羽根車２７＞のうちの＜[3] 左右＞＜[2] 端＞の＜[1] 羽根車２７＞と対向する位置に＜[2] 設け＞＜[1] 、畝＞の崩れを防止すると共に＜[1] 、羽根車２７＞で跳ね上げた＜[1] 土＞が＜[1] 畝＞外に跳ね出すのを防止するものである＜[1] 。＞
〔００１９〕
以上の強調表示を見ると、請求項１の重要語は全体の段落番号に、請求項２の重要語は段落番号０００９、００１０、００１１、００１２、００１３、００１５、００１６、００１７に、請求項３の重要語は段落番号００１３、００１４、００１８に、請求項４の重要語は段落番号００１５、００１７に多いことがわかる。特に、請求項３は段落番号００１４に請求項４は段落番号００１５に多いので、この段落にそれぞれの説明があることがわかる。このように、請求項１を除けば、該当する請求項の重要語の多いところに、その説明が行われていることがわかる。
【００９２】
（１１）：他の実施例の説明
ａ）目次セクションを利用する場合の説明
本、論文などの書物の目次セクションを抜き出し、それを前記請求項のように扱い、書物の本文の方を前記明細書（又は発明を実施するための最良の形態）本文のように扱うこともできる。
【００９３】
例：
（目次）
1.日本の構造問題
2.日本の経済構造
3.日本の未来
上記目次の他の項目にないものを強調する方法だと、以下のように抜き出される。
【００９４】
1.日本の構造＜問題＞
2.日本の＜経済＞構造
3.日本の＜未来＞
書物の本文において、それらを強調する。また、どの章のタイトルにあったかをわかるように章番号もつけて、強調しても良い。
【００９５】
本文の例：
日本の構造の＜[1] 問題として＞，．．．．があげられる．
．．．                                                                          ．．．＜[2] 経済＞は回復傾向にあるが，．．．
．．．
＜[3] 未来＞予測として．．．．
このように、書物の目次の内容が説明されている本文個所を容易に特定することができる。
【００９６】
ｂ）話し言葉と書き言葉の説明
論文と、その内容を口頭発表した音声の対応づけを本発明の方法で考える。ここで、論文を前記請求項と考え、論文の章節を、請求項番号と考える。そして、各章のタイトルと本文をその章の請求項の文と考える。
【００９７】
上記論文に関する口頭発表した音声を、音声認識によりテキストにする。このテキストを前記明細書（又は発明を実施するための最良の形態）本文と考える。
【００９８】
例：
1 章 ....(タイトル) 
......,(本文) 
..問題...(本文) 
.....(本文) 
2 章 ....(タイトル) 
.......(本文) 
. 構造....( 本文) 
.....(本文) 
3 章 ....(タイトル) 
... 未来...(本文) 
.....(本文) 
.....(本文) 
【００９９】
（重要語抽出部で差分を取り出す）
例：
1 章 ....(タイトル) 
.......(本文) 
..＜問題＞...(本文) 
.....(本文) 
2 章 ....(タイトル) 
.......(本文) 
. ＜構造＞....( 本文) 
.....(本文) 
3 章 ....(タイトル) 
... ＜未来＞...(本文) 
.....(本文) 
.....(本文) 
論文の発表を音声認識したテキスト上で上記差分を強調表示実行部で強調表示する。
【０１００】
例：
.....(音声認識したテキスト) 
.......(音声認識したテキスト) 
..＜[1] 問題＞...(音声認識したテキスト) 
.....(音声認識したテキスト) 
.....(音声認識したテキスト) 
.......(音声認識したテキスト) 
. ＜[2] 構造＞.....(音声認識したテキスト) 
.....(音声認識したテキスト) 
...(音声認識したテキスト) 
... ＜[3] 未来＞...(音声認識したテキスト) 
.....(音声認識したテキスト) 
.....(音声認識したテキスト) 
[1] などでどの章から取り出した単語かが容易にわかるようにする。この出力を見るとだいたいどのあたりにどの章の内容があるかをテキスト上で把握できる。
【０１０１】
ｃ）文書の検索の説明
特許文書を例に文書の検索の説明をする。図５は特許文書の検索の説明図である。図５において、表示画面等に表示された左上の枠１１に入力手段でキーワードをいれれるようになっていている。キーワードを入れる（この例ではsickleを入力）と処理手段で特許文書が検索でき左上の枠１２のように、特許文書が検索できる。この例では、patentＡ〜Ｄが検索されている。
【０１０２】
ここで特許文書を選択（この例ではpatentＣ）すると、その選択した請求項の内容が枠１３に実施例等の明細書の内容が枠１４に同時に表示される。ここでは請求項で差分を強調表示し、実施例でも強調表示をしている。なお、強調表示はアンダーラインで行っており、枠１４では請求項毎に異なる強調表示を行っている。
【０１０３】
ｄ）情報検索（ＩＲ）での重み付けの利用の説明
本発明により取り出した差分部分の単語を利用して情報検索の性能をあげることができる。
【０１０４】
例えば、
ある請求項Ａとよく似た内容の段落を検索することを考える。請求項Ａに単語ａ、単語ｂ、単語ｃがあったとする。
【０１０５】
そのうち、差分検出により、単語ｂが他の請求項になく特に重要とわかる。その場合、情報検索（ＩＲ）で特に高い得点を与える。例えば、以下のような式の検索を考える。
【０１０６】
score(D) =  Σ ( tf(w,D) * log(N/df(w)) ) 
w∈W で加算
W は請求項Ａにあった単語の集合、
tf(w,D) は段落Ｄでの wの出現回数、
df(w) は全文書で wが出現した段落の数、
N は段落の総数、
一般の検索では上の式のような検索式で検索する。この値が最も大きい段落Ｄを検索結果として出力することになる。
【０１０７】
ここで本発明に利用すると、
score(D) =  Σ ( tf(w,D) * log(N/df(w)) * a(w)) 
w∈W で加算
W は請求項Ａにあった単語の集合、
tf(w,D) は段落Ｄでの wの出現回数、
df(w) は全文書で wが出現した段落の数、
N は段落の総数、
a(w)は差分部分として取られた単語の場合 100、それ以外の単語の場合 1
のように、差分部分として取られた単語の場合は、重みを大きくする。ここでは重みを 100としたが他の値でもよい。
【０１０８】
このようにして検索すると、差分としてとられた単語を重要と判断して検索することができる。
【０１０９】
なお、上記の情報検索では、tf idfを使う式の説明をしたが、より高度な情報検索の方法として、Okapi や SMARTの式を用いてもよい。
【０１１０】
（Okapi の参考文献）
S. E. Robertson, S. Walker, S. Jones, M. M. Hancock-Beaulieu, and M. Gatford
Okapi at TREC-3, TREC-3, 1994 
（SMART の参考文献）
Amit Singhal  AT&T at TREC-6, TREC-6, 1997
これら、Okapi や SMARTの式を用いた情報検索では、tf idfだけでなく、記事の長さなども利用してより高精度な情報検索を行うことができる。
【０１１１】
ｅ）文書バーを用いる場合の説明
長い文書等で文書全体を表示することが困難な場合がある。その場合は、文書を詳細には表示せずに、大雑把に表示するという方法が考えられる。例えば、段落番号や章節タイトルのみ表示するなどである。そして、その横にバーを設け、その段落、章節にどのくらい、各章、各請求項の内容があったかを表す（表示する）バーを表示する。
【０１１２】
例えば、
（目次）
1.日本の構造＜問題＞
2.日本の＜経済＞構造
3.日本の＜未来＞
の例だと、以下の本文において
1.日本の構造＜[1] 問題＞  バー表示
2.日本の＜[2] 経済＞構造  バー表示
3.日本の＜[3] 未来＞      バー表示
のようになる。
【０１１３】
バーには、強調された単語の個数の割合が各章ごとにわかるように表示される。
【０１１４】
図６はバー表示の説明図である。図６において、上段のバーで１章は、１章の本文において、１章の強調表示される単語（ここでは「問題」）の割合を示している。上段のバーの２章は、１章の本文において、２章の強調表示される単語（ここでは「経済」）の割合を示している。上段のバーの３章は、１章の本文において、３章の強調表示される単語（ここでは「未来」）の割合を示している。上段のバーのその他は、１章の本文において、その他の章の強調表示される単語の割合を示している。
【０１１５】
下段のバーでは、３章の本文において、１章の強調表示される単語（ここでは「問題」）の割合が３章の強調表示される単語の割合より多くなっているが、上段から下段のバーを見ると、下段のバーの３章（強調表示される単語）の割合が多いことがわかり、３章の内容が多く書かれていることがわかる。
【０１１６】
このように、各章で目次のどの章の単語が多いかをバーの長さで示している。次に章毎と、更に細かい段落毎に上記の表示を行う例を説明する。
【０１１７】
例えば、
（目次）
1.日本の構造＜問題＞
2.日本の＜経済＞構造
3.日本の＜未来＞
の例だと、
1.日本の構造＜[1] 問題＞  バー表示
段落1 バー表示
段落2 バー表示
....
2.日本の＜[2] 経済＞構造  バー表示
段落1 バー表示
段落2 バー表示
....
3.日本の＜[3] 未来＞      バー表示
段落1 バー表示
段落2 バー表示
....
のように段落ごとに表示してもよい。話し言葉をテキスト化した場合は、何文字か単位でテキストを分割し、その単位ごとに上記表示をしてもよい。
【０１１８】
また、文書バーの表示をするとき、単語の延べ数で、バー表示してもよく、単語の異なり数で、バー表示してもよい。更に、バー表示の代わりに単に数字で表示するや円グラフ等の他の表示で行うこともできる。
【０１１９】
ｆ）ＦＡＱ（よくある質問とその回答）を用いる場合の説明
ＦＡＱのようにＱ（質問）が箇条書のリストで表示されていて、そのＱをクリックすると Answer （回答）の文書が表示されるようなところでも、本発明を利用できる。
【０１２０】
例えば、Ｑを前記の請求項として， Answer の方を前記の実施例（明細書）のように
して処理できる。
【０１２１】
Ｑで差分検出し、各Ｑ特有の単語を抽出する。その単語を Answer の文書で強調表示する。また、下記のバー表示も可能である。
【０１２２】
Ｑで差分検出し、各Ｑ特有の単語を抽出する。その単語の出現率を Answer の文書で調べる。そして、リスト上に表示されているそれぞれＱに対して、その Answer の文書での各Ｑの単語の出現率をバー表示する。
【０１２３】
（１２）：他の言語での強調表示の説明
翻訳しながら対応づけをする（強調表示する）。
【０１２４】
例えば、日本語の特許Ａがあり、それを基に書いた英語の特許Ｂがあったとする。特許Ａ、Ｂは同内容であり、特許Ｂは特許Ａの翻訳であったとする。ここで請求項間の対応づけを考える。このときは、特許Ａの請求項において、本発明の手法により、各請求項にだけ出現する単語、または、各請求項において初めて出現する単語を取り出す。
【０１２５】
これら取り出した単語を英語に翻訳する。この翻訳は、翻訳システムを用いて翻訳してもよいし、単語の対訳の表を用いて翻訳してもよい。そして、翻訳した英語の単語で、特許Ｂの請求項において強調表示する。このとき、特許Ａのどの請求項に含まれていたかを示す、記号とともに強調表示したり、どの請求項に含まれていたかを示す、色とともに強調表示したりする。そうすると、特許Ｂにおける各請求項が、特許Ａのどの請求項にほぼ対応しているかを容易にみることができて、便利である。
【０１２６】
上記では，特許Ａの単語を特許Ｂで強調表示したが、逆、つまり、特許Ｂの単語を特許Ａで強調表示してもよい。また、ここでは、請求項同士の対応づけを例にしたが、日本語特許Ａの請求項で取り出した単語を英語に翻訳して、英語特許Ｂの実施例でそれらを強調表示するなどを行うこともできる。
【０１２７】
そして、上記翻訳は、単語を変換するための表を用いて、または、単語を変換する装置（変換手段）を用いて、変換して行うことができる。この場合、翻訳に限らず、例えば、複数文書（請求項、箇条書き表現）から取り出した単語を類義語、同義語（類義語、同義語の辞書等を用い）に置き換えて、該置き換えた類義語、同義語を実施例などの他の文書で強調表示してもよい。
【０１２８】
なお、前記の実施の形態では、「値が大きいものほど取り出す」と記載した処理は「値が閾値以上のものを取り出す」とすることができる。また、「値が大きいものを所定の値の個数以上のものを大きい順に取り出す」と記載した処理は「取り出されたものの値の最大値に対して所定の割合をかけた値を求め、その求めた値以上の値を持つものを取り出す」とすることができる。更に、これら閾値、所定の値を、あらかじめ定めることも、適宜ユーザが値を変更、設定できるようにすることも可能である。
【０１２９】
（１３）：プログラムインストールの説明
表示装置（表示手段）１、入力装置（入力手段）２、処理装置（処理手段）３、重要語抽出部（重要語抽出手段）４、強調表示実行部（強調表示実行手段）５等は、プログラムで構成でき、主制御部（ＣＰＵ）が実行するものであり、主記憶に格納されているものである。このプログラムは、一般的な、コンピュータで処理されるものである。このコンピュータは、主制御部、主記憶、ファイル装置、表示装置、キーボード等の入力手段である入力装置などのハードウェアで構成されている。
【０１３０】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。そして、このファイル装置から処理に必要なプログラムステップを主記憶に読み出し、主制御部が実行するものである。
【図面の簡単な説明】
【０１３１】
【図１】本発明の文書差分検出装置の説明図である。
【図２】本発明の重要語として各請求項単独で出現する単語を取り出す場合のフローチャートである。
【図３】本発明の重要語として各請求項で初めて出現する単語を取り出す場合のフローチャートである。
【図４】本発明の重要語として、各請求項で、テキストで初めて出現する単語を取り出す場合のフローチャートである。
【図５】本発明の特許文書の検索の説明図である。
【図６】本発明のバー表示の説明図である。
【符号の説明】
【０１３２】
１  表示装置（表示手段）
２  入力装置（入力手段）
３  処理装置（処理手段）
４  重要語抽出部（重要語抽出手段）
５  強調表示実行部（強調表示実行手段）
【図１】
2007265068.tif 000003
【図２】
2007265068.tif 000004
【図３】
2007265068.tif 000005
【図４】
2007265068.tif 000006
【図５】
2007265068.tif 000007
【図６】
2007265068.tif 000008